(57)【特許請求の範囲】
【請求項１】
発信元通信端末装置から宛先通信端末装置に対して送信する原稿の画像データを発信元通信端末装置の記憶装置に格納し、この記憶装置に格納された原稿の画像データをデータ保存用通信端末装置にも送信して保存する通信システムにおいて、前記記憶装置を使用しない送信方法が選択された場合に、発信元通信端末装置は、データ保存用通信端末装置に対して宛先情報を送信するとともに、原稿の画像データを読み取って前記記憶装置に格納せずに送信し、このデータ保存用通信端末装置は、受信した原稿の画像データを保存するとともに、宛先情報に基づいて宛先通信端末装置に対して原稿の画像データを送信することを特徴とする通信システム。
【請求項２】
宛先通信端末装置に対して送信した原稿の画像データを格納する記憶装置と、送信した原稿の画像データを保存するためのデータ保存用通信端末装置の情報を記憶する保存先情報記憶部と、前記記憶装置を使用しない送信方法が選択された場合に、保存先情報記憶部に記憶された情報に基づいてデータ保存用通信端末装置に対して宛先情報を送信するとともに、原稿の画像データを読み取って前記記憶装置に格納せずに送信するように制御する制御部とを備えたことを特徴とする通信端末装置。
【発明の詳細な説明】
【０００１】
【発明の属する技術分野】
本発明は、宛先通信端末装置に対して送信した原稿の画像データを、データ保存用通信端末装置にも送信して保存する通信システム及びこの通信システムに用いるファクシミリ装置等の通信端末装置に関し、特に、原稿の画像データの送信方法として画像メモリを使用しない直接送信が選択された場合にも、データ保存用通信端末装置に原稿の画像データを保存することが可能な通信システム及び通信端末装置に関する。
【０００２】
【従来の技術】
近年、ファクシミリ装置等の通信端末装置においては、送受信した原稿の画像データを蓄積することが可能なメモリを搭載したものが増加している。このようなメモリを搭載した通信端末装置においては、原稿の画像データを送信又は受信する際に、その搭載するメモリに送受信原稿の画像データを格納しておき、送信又は受信が終了した後に、当該通信端末装置において予め登録されたデータ保存用の他の通信端末装置に対し、メモリに格納した送受信原稿の画像データを転送することにより、データ保存用の通信端末装置において送受信原稿の画像データを保存する機能を有するものが知られている。この機能は、ファクシミリ装置等の記憶容量の小さい通信端末装置において送信又は受信した原稿の画像データを、コンピュータ等の記憶容量の大きい通信端末装置に転送することにより、大量の送受信原稿の画像データを好適に保存及び管理するために用いられる。
【０００３】
【発明が解決しようとする課題】
しかしながら、このような送受信原稿の画像データをデータ保存用の他の通信端末装置に転送して保存する機能を使用するには、発信元の通信端末装置において原稿の画像データを送信又は受信する際に、その原稿の画像データを一旦メモリに格納していることが必要である。すなわち、送受信原稿の画像データがメモリに格納されて残されていなければ、送信又は受信が終了した後にデータ保存用の他の通信端末装置に送信することができないからである。
【０００４】
したがって、例えば、送信する原稿の画像データの量がメモリの記憶容量を超えているためにその原稿の画像データをメモリに格納することが不可能である場合や、使用者が１枚ずつ送信される状態を確認しながら送信することを希望する場合等において、送信原稿の画像データを一旦メモリに格納してから送信するメモリ送信を行なわず、スキャナ等により原稿を読み取りながら送信する直接送信を行なう場合には、前述の機能を使用することができなかった。そのため、送信原稿の全てをデータ保存用の通信端末装置に転送して保存することができず、送受信原稿の管理が不完全なものとならざるを得ないという問題があった。
【０００５】
本発明は、上記課題に鑑みてなされたものであり、発信元の通信端末装置から宛先の通信端末装置に原稿の画像データを送信する場合において、原稿の画像データを一旦画像メモリに格納してから送信するメモリ送信が行なわれず、スキャナ等により原稿を読み取りながら送信する直接送信が行なわれる場合においても、データ保存用の他の通信端末装置に原稿の画像データを転送して保存することができる通信システム及びその通信システムに用いる通信端末装置を提供することを技術課題とするものである。
【０００６】
【課題を解決するための手段】
上記技術課題を解決するための具体的手段は、次のようなものである。すなわち、請求項１に記載する通信システムは、発信元通信端末装置から宛先通信端末装置に対して送信する原稿の画像データを発信元通信端末装置の記憶装置に格納し、この記憶装置に格納された原稿の画像データをデータ保存用通信端末装置にも送信して保存する通信システムにおいて、前記記憶装置を使用しない送信方法が選択された場合に、発信元通信端末装置は、データ保存用通信端末装置に対して宛先情報を送信するとともに、原稿の画像データを読み取って前記記憶装置に格納せずに送信し、このデータ保存用通信端末装置は、受信した原稿の画像データを保存するとともに、宛先情報に基づいて宛先通信端末装置に対して原稿の画像データを送信することを特徴とするものである。
【０００７】
請求項２に記載する通信端末装置は、宛先通信端末装置に対して送信した原稿の画像データを格納する記憶装置と、送信した原稿の画像データを保存するためのデータ保存用通信端末装置の情報を記憶する保存先情報記憶部と、前記記憶装置を使用しない送信方法が選択された場合に、保存先情報記憶部に記憶された情報に基づいてデータ保存用通信端末装置に対して宛先情報を送信するとともに、原稿の画像データを読み取って前記記憶装置に格納せずに送信するように制御する制御部とを備えたことを特徴とするものである。
【０００８】
【発明の実施の形態】
以下、本発明に係る通信システム及び通信端末装置について図面に基づいて説明する。図１は、本発明の実施形態に係る通信システムの概念を示す図である。この図の実線の矢印で示すように、本発明の実施形態に係る通信システムは、発信元通信端末装置１から宛先通信端末装置２に対して送信する原稿の画像データを、データ保存用通信端末装置３にも送信して保存する通信システムであって、発信元通信端末装置１は、データ保存用通信端末装置３に対して宛先情報及び原稿の画像データを送信し、このデータ保存用通信端末装置３は、受信した原稿の画像データを保存するとともに、宛先情報に基づいて宛先通信端末装置２に対して原稿の画像データを送信するという通信システムである。以下更に詳細に説明する。
【０００９】
発信元通信端末装置１とは、宛先を指定して他の宛先通信端末装置２に対して原稿の画像データを送信する場合における発信元の通信端末装置のことである。ここでは、発信元通信端末装置１としてファクシミリ装置を使用する場合について説明する。図２は、本実施形態に係る発信元通信端末装置１の構成を示すブロック図である。この図に示すように、発信元通信端末装置１は、装置全体の動作制御のための演算処理や各部の動作に関する命令信号の出力等を行なう制御部４と、この制御部４の演算処理に必要なプログラムやデータ等を記憶する読出し専用の記憶装置であるＲＯＭ（Read Only Memory）５と、制御部４の演算処理に伴って必要となる各種データ等を記憶する書込み及び読出しが可能な記憶装置であるＲＡＭ（Random Access Memory）６と、原稿の画像データを一時的に格納するための記憶装置である画像メモリ７と、原稿の画像を走査してその画像データを読み取るためのスキャナを有する読取部８と、受信した原稿等の画像データを記録紙に印字出力するプリンタを有する記録部９と、使用者が動作指示の入力等を行なうための各種操作キーを有する操作部１０と、設定状態や動作状態等を表示する液晶表示画面やＬＥＤランプ等を有する表示部１１と、原稿の画像データの送受信のための通信制御手段であるモデム１２及び網制御装置（ＮＣＵ）１３とを有して構成されている。
【００１０】
また、ＲＡＭ６の中には、その記憶領域の一部を用いて保存先情報記憶部１４が設けられている。この保存先情報記憶部１４は、発信元通信端末装置１が宛先通信端末装置２に対して送信した原稿の画像データを保存及び管理するデータ保存用通信端末装置３の情報を記憶する記憶領域である。ここで、データ保存用通信端末装置３の情報とは、発信元通信端末装置１において登録した一定のデータ保存用通信端末装置３を特定するための情報であって、具体的には「０３-３ＸＸＸ-ＯＯＯＯ」等のようなダイヤル番号が該当する。このデータ保存用通信端末装置３を特定するダイヤル番号は、使用者が操作部１０を操作して登録することにより保存先情報記憶部１４に記憶させるものであり、必要により操作部１０を操作して変更することも可能である。また、この保存先情報記憶部１４に登録したダイヤル番号を確認するために表示部１１に表示させることもできる。
【００１１】
また、制御部４は、宛先通信端末装置２に対して原稿の画像データを送信する場合には、図１の実線の矢印で示すように、保存先情報記憶部１４に記憶された情報に基づいてデータ保存用通信端末装置３に対して宛先情報及び原稿の画像データを送信するように制御する。ここで、宛先情報とは、発信元通信端末装置１において原稿の画像データを送信する宛先として指定した宛先通信端末装置２を特定するための情報であって、具体的には「０３-３ＸＸＸ-ＯＯＯＯ」等のようなダイヤル番号が該当する。この宛先情報は、データ保存用通信端末装置３に対して送信される際には、宛先通信端末装置２への画像データの転送指示とともに、非標準機能設定信号（ＮＳＳ：Non-Standard facilities Set-up）の中に含めて送信される。また、原稿の画像データとは、原稿の画像を読取部８のスキャナにより走査して得た電子データのことである。
【００１２】
制御部４による原稿の画像データの送信に関する制御は、原稿の画像データの送信方法として、画像メモリ７を使用しない直接送信が選択された場合にのみ前述のように制御することとしている（図１の実線の矢印）。したがって、送信方法として、送信原稿の画像データを一旦画像メモリ７に格納してから送信するメモリ送信が選択された場合には、図１の点線の矢印で示すように、従来通り直接に宛先通信端末装置２に対して原稿の画像データを送信した後、保存先情報記憶部１４に記憶された情報に基づいてデータ保存用通信端末装置３に対して原稿の画像データを送信するように制御する。この制御部４による発信元通信端末装置１の動作処理については、後にフローチャートを用いて詳細に説明する。
【００１３】
宛先通信端末装置２は、発信元通信端末装置１において原稿の画像データを送信する宛先として指定した通信端末装置のことである。ここでは、発信元通信端末装置１がファクシミリ装置であることから、宛先通信端末装置２もファクシミリによる原稿の画像データの受信を行なうことが可能なファクシミリ装置としている。
【００１４】
データ保存用通信端末装置３は、発信元通信端末装置１が宛先通信端末装置２に対して送信する原稿の画像データを保存及び管理するために、発信元通信端末装置１から送信原稿の画像データを受信して保存する通信端末装置のことである。このようなデータ保存用通信端末装置３としては、大量の送信原稿の画像データを保存及び管理することができるようにするため、一般にファクシミリ装置よりも容量の大きい記憶装置を備えるコンピュータ等を使用すると好適である。また、データ保存用通信端末装置３は、発信元通信端末装置１から送信される原稿の画像データをファクシミリ受信するための通信機能を備えることが必要であるから、原稿の画像データの送受信のための通信制御手段であるモデム及び網制御装置（ＮＣＵ）を有するものとすることが必要である。そして、このデータ保存用通信端末装置３は、発信元通信端末装置１から受信した原稿の画像データをその記憶装置に保存するとともに、受信した宛先情報に基づいて宛先通信端末装置２に対して保存した原稿の画像データを送信する。この際のデータ保存用通信端末装置３の動作処理については、後にフローチャートを用いて詳細に説明する。
【００１５】
次に、本実施形態に係る通信システムにおける発信元通信端末装置１の動作処理について図３及び図４に示すフローチャートに基づいて説明する。これらの図において、丸で囲まれた「Ａ」及び「Ｂ」の記号は、他方の図における同じ記号と連続するものとする。なお、このフローチャートに示す発信元通信端末装置１の各部の動作は、ＲＯＭ５に記憶されている動作プログラムに従って制御部４の制御の下に行なわれる。
【００１６】
原稿の画像データを送信する際には、まず、送信する宛先を特定するための情報としてその宛先通信端末装置２のダイヤル番号が操作部１０から入力される（Ｓ１）。次に、送信方法が直接送信であるか否かを判断する（Ｓ２）。ここで、直接送信とは、読取部８において読み取った原稿の画像データを画像メモリ７に格納せずに直接送信する送信方法のことである。送信方法が直接送信である場合には（Ｓ２：ＹＥＳ）、次に、原稿の画像データをデータ保存用通信端末装置３に保存する設定がされているか否かについて判断する（Ｓ３）。
【００１７】
原稿の画像データをデータ保存用通信端末装置３に保存する設定がされている場合には（Ｓ３：ＹＥＳ）、データ保存用通信端末装置３にまず原稿の画像データを送信し、そこから宛先通信端末装置２に原稿の画像データを転送するための制御を行なう。したがって、保存先情報記憶部１４に記憶された情報に基づいてデータ保存用通信端末装置３のダイヤル番号にダイヤルする（Ｓ４）。そして、回線が接続された後（Ｓ５）、非標準機能設定信号（ＮＳＳ）に宛先情報及び転送指示を含めて送信する（Ｓ６）。ここで、宛先情報は、処理Ｓ１において操作部１０から入力された宛先通信端末装置２のダイヤル番号となる。また、転送指示は、この通信により送信された原稿の画像データを、宛先情報に従って宛先通信端末装置２に転送すべき旨をデータ保存用通信端末装置３に対して指示する命令信号である。次に、原稿の画像データを読取部８において読み取り、データ保存用通信端末装置３に送信する（Ｓ７）。そして、送信が終了した後、回線を切断し（Ｓ８）、処理は終了する。
【００１８】
一方、原稿の画像データをデータ保存用通信端末装置３に保存する設定がされていない場合には（Ｓ３：ＮＯ）、宛先通信端末装置２のみに原稿の画像データを送信すればよいので、処理Ｓ１において操作部１０から入力された宛先通信端末装置２のダイヤル番号にダイヤルする（Ｓ９）。そして、回線が接続された後（Ｓ１０）、デジタル命令信号（ＤＣＳ：Digital Command Signal）を送信する（Ｓ１１）。次に原稿の画像データを読取部８において読み取り、データ保存用通信端末装置３に送信する（Ｓ７）。そして、送信が終了した後、回線を切断し（Ｓ８）、処理は終了する。
【００１９】
処理Ｓ２における判断で、送信方法が直接送信でない場合には（Ｓ２：ＮＯ）、送信原稿の画像データを一旦画像メモリ７に格納してから送信するメモリ送信を行なうものと判断することができるので、原稿の画像データを読取部８において読み取り、画像メモリ７に格納する（Ｓ１２）。次に、処理Ｓ１において操作部１０から入力された宛先通信端末装置２のダイヤル番号にダイヤルする（Ｓ１３）。そして、回線が接続された後（Ｓ１４）、画像メモリ７に格納された原稿の画像データを読み出して宛先通信端末装置２に送信し（Ｓ１５）、送信が終了した後、回線を切断する（Ｓ１６）。その後、原稿の画像データをデータ保存用通信端末装置３に保存する設定がされているか否かについて判断する（Ｓ１７）。
【００２０】
原稿の画像データをデータ保存用通信端末装置３に保存する設定がされている場合には（Ｓ１７：ＹＥＳ）、宛先通信端末装置２に送信した原稿の画像データをデータ保存用通信端末装置３にも送信して保存させる制御を行なう必要がある。したがって、保存先情報記憶部１４に記憶された情報に基づいてデータ保存用通信端末装置３のダイヤル番号にダイヤルする（Ｓ１８）。そして、回線が接続された後（Ｓ１９）、画像メモリ７に格納された原稿の画像データを読み出してデータ保存用通信端末装置３に送信し（Ｓ２０）、送信が終了した後、回線を切断する（Ｓ２１）。その後、画像メモリ７に格納された原稿の画像データはもはや不要であるので、その画像データを画像メモリ７から消去し（Ｓ２２）、処理は終了する。一方、原稿の画像データをデータ保存用通信端末装置３に保存する設定がされていない場合には（Ｓ１７：ＮＯ）、データ保存用通信端末装置３に原稿の画像データを送信する必要がないので、処理はそのままＳ２２に進み、画像メモリ７に格納された原稿の画像データを消去し（Ｓ２２）、処理は終了する。
【００２１】
次に、本実施形態に係る通信システムにおいて、データ保存用通信端末装置３が、発信元通信端末装置１から原稿の画像データを受信した際の動作処理について図５に示すフローチャートに基づいて説明する。
【００２２】
まず、発信元通信端末装置１からの着呼により（Ｓ３１）、回線を接続し（Ｓ３２）、非標準機能設定信号（ＮＳＳ）又はデジタル命令信号（ＤＣＳ）を受信する（Ｓ３３）。次に、原稿の画像データが送信されてくるので、それを受信し、記憶装置に保存する（Ｓ３４）。そして、画像データの受信が終了した後、回線を切断する（Ｓ３５）。その後、非標準機能設定信号（ＮＳＳ）の中に転送指示が含まれていたか否かについて判断する（Ｓ３６）。非標準機能設定信号（ＮＳＳ）の中に転送指示が含まれていた場合には（Ｓ３６：ＹＥＳ）、受信した原稿の画像データを宛先通信端末装置２に転送することが必要であると判断できるので、非標準機能設定信号（ＮＳＳ）の中に含まれる宛先情報に基づいて宛先通信端末装置２のダイヤル番号にダイヤルする（Ｓ３７）。そして、回線が接続された後（Ｓ３８）、記憶装置に保存された原稿の画像データを読み出して宛先通信端末装置２に送信する（Ｓ３９）。そして、送信が終了した後、回線を切断し（Ｓ４０）、処理は終了する。一方、非標準機能設定信号（ＮＳＳ）の中に転送指示が含まれていなかった場合には（Ｓ３６：ＮＯ）、宛先通信端末装置２に受信した原稿の画像データを転送する必要がないので、処理はそのまま終了する。
【００２３】
【発明の効果】
以上説明したように、本発明の請求項１に係る通信システムによれば、発信元通信端末装置が、データ保存用通信端末装置に対して宛先情報を送信するとともに、原稿の画像データを読み取って前記記憶装置に格納せずに送信し、このデータ保存用通信端末装置が、受信した原稿の画像データを保存するとともに、宛先情報に基づいて宛先通信端末装置に対して原稿の画像データを送信することにより、発信元の通信端末装置から宛先の通信端末装置に原稿の画像データを送信する場合において、原稿の画像データを一旦画像メモリに格納してから送信するメモリ送信が行なわれず、スキャナ等により原稿を読み取りながら送信する直接送信が行なわれる場合においても、データ保存用通信端末装置に原稿の画像データを送信して保存することができる。
【００２４】
本発明の請求項２に係る通信端末装置によれば、送信した原稿の画像データを保存するためのデータ保存用通信端末装置の情報を記憶する保存先情報記憶部と、保存先情報記憶部に記憶された情報に基づいてデータ保存用通信端末装置に対して宛先情報を送信するとともに、原稿の画像データを読み取って前記記憶装置に格納せずに送信するように制御する制御部とを備えたことにより、この通信端末装置から宛先の通信端末装置に原稿の画像データを送信する場合において、原稿の画像データを一旦画像メモリに格納してから送信するメモリ送信が行なわれず、スキャナ等により原稿を読み取りながら送信する直接送信が行なわれる場合においても、データ保存用通信端末装置に原稿の画像データを送信して保存することができるとともに、データ保存用通信端末装置に対して原稿の画像データを宛先通信端末装置に転送させるように制御することができる。
【図面の簡単な説明】
【図１】本発明の実施形態に係る通信システムの概念を示す図である。
【図２】本発明の実施形態に係る発信元通信端末装置の構成を示すブロック図である。
【図３】本発明の実施形態に係る通信システムにおける発信元通信端末装置の動作処理を示すフローチャートの前半部分である。
【図４】本発明の実施形態に係る通信システムにおける発信元通信端末装置の動作処理を示すフローチャートの後半部分である。
【図５】本発明の実施形態に係る通信システムにおいて、データ保存用通信端末装置が発信元通信端末装置から原稿の画像データを受信した際の動作処理を示すフローチャートである。
【符号の説明】
１  発信元通信端末装置
２  宛先通信端末装置
３  データ保存用通信端末装置
４  発信元通信端末装置の制御部
１４  発信元通信端末装置の保存先情報記憶部
【図１】
0003702822.tif 000002
【図２】
0003702822.tif 000003
【図３】
0003702822.tif 000004
【図４】
0003702822.tif 000005
【図５】
0003702822.tif 000006